【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
左右の対物光学系と、左右の正立光学系と、前記左右の対物光学系と前記左右の正立光学系との間に配置され、双眼鏡の振れによる像振れを低減する光学防振ユニットと、該光学防振ユニットを動作させるための電源を供給する電池が収容される電池室と、を有する双眼鏡であって、
前記左右の対物光学系の双方の光軸を含む平面を境界面とし、前記左右の対物光学系のそれぞれの光軸を含み前記境界面に直交する２つの平面の間の領域を中央領域とし、該中央領域において前記境界面を挟む２つの領域のうち一方の領域を第１の領域とするとき、
前記第１の領域において、
前記光学防振ユニットは、前記境界面に直交する方向に凹んだ第１の凹部を有し、
前記電池室は、前記第１の凹部の内側を通って前記光軸に平行な方向に延びるように配置されていることを特徴とする双眼鏡。
【請求項２】
前記左右の対物光学系と前記左右の正立光学系との間に配置され、前記電池からの電源供給を受けて前記光学防振ユニットを動作させる電気回路基板を有し、
前記第１の領域において、
前記電気回路基板は、前記境界面に直交する方向に凹んだ第２の凹部を有し、
前記電池室は、前記第１及び第２の凹部の内側を通って前記光軸に平行な方向に延びるように配置されていることを特徴とする請求項１に記載の双眼鏡。
【請求項３】
前記左右の対物光学系及び前記電池室のうち前記一方の領域側の外周を覆う外装部材を有し、
前記外装部材は、前記電池室を覆う部分が前記左右の対物光学系を覆う部分に対して突出しない形状を有することを特徴とする請求項１又は２に記載の双眼鏡。
【請求項４】
焦点調節を行うための操作部材を有し、
前記中央領域において、前記２つの領域のうち、前記境界面に対して前記第１の領域とは反対側の領域を第２の領域とするとき、前記操作部材は、前記第２の領域に配置されていることを特徴とする請求項１から３のいずれか１つに記載の双眼鏡。
【請求項５】
前記第１の凹部は、前記第１の領域から前記第２の領域に向かって凹んでいることを特徴とする請求項４に記載の双眼鏡。
【手続補正２】
【補正対象書類名】明細書
【補正対象項目名】全文
【補正方法】変更
【補正の内容】
【発明の詳細な説明】
【発明の名称】双眼鏡
【技術分野】
【０００１】
本発明は、手振れ等による像振れを低減する光学防振ユニットを備えた双眼鏡（以下、防振双眼鏡ともいう）に関する。
【背景技術】
【０００２】
上記のような防振双眼鏡は、左右の対物光学系と、左右の正立光学系と、左右の接眼光学系により構成される左右の観察光学系を有し、該左右の観察光学系のいずれかの位置に光学防振ユニットを配置している。また、防振双眼鏡内には、光学防振ユニットを動作させる（光学素子を光軸直交方向にシフトさせたり可変頂角プリズムの頂角を変化させたりするアクチュエータを駆動する）電気回路基板や、該基板に電源を供給する電池が収容される。なお、電池としては、単３電池のような円筒型電池が複数本用いられる場合が多い。
【０００３】
このような防振双眼鏡における光学防振ユニット、電気回路基板及び電池の配置例が、特許文献１，２に開示されている。
【特許文献１】特開２００２−９８９１２号公報
【特許文献２】特開平１０−２０２１３号公報
【発明の開示】
【発明が解決しようとする課題】
【０００４】
特許文献１にて開示された防振双眼鏡では、２本の円筒型電池（つまりは該電池を収容する電池室）が、左右の観察光学系の間の中央領域において、光学防振ユニットの内部で光軸平行方向に向き上下方向に２本並んで配置されている。
【０００５】
しかしながら、このようなレイアウトを採用すると、中央領域の上下方向の厚みが増大する。中央領域の厚みが大きいと、焦点調節を行うための操作部材であるフォーカスダイヤルを該中央領域に配置する場合、電池室との干渉を避けるために、フォーカスダイヤルをより上方又は下方に突出させる必要がある。しかも、このように厚みが大きい中央領域には、使用者が双眼鏡を手で持つ際に指をかける部分を設けにくいため、双眼鏡の持ち易さ（ホールド性）を低下させる。
【０００６】
一方、特許文献２にて開示された防振双眼鏡では、上記中央領域における光学防振ユニットの外側（下側）に円筒型電池を２本並べて配置する構成を採用している。
【０００７】
しかしながら、この双眼鏡では、外装部材のうち電池室の下面を覆う部分が、観察光学系の下面を覆う部分に比べて電池室の体積分だけ下方に大きく突出した形状を有する。このため、中央領域の下側の厚みが増加し、特許文献１の防振双眼鏡と同様に、指をかける部分を設けにくく、ホールド性が良くない。
【０００８】
本発明は、光学防振ユニットと電池室を有し、該電池室が設けられた中央領域の厚みを薄くすることができるようにした双眼鏡を提供する。
【課題を解決するための手段】
【０００９】
本発明の一側面としての双眼鏡は、左右の対物光学系と、左右の正立光学系と、左右の対物光学系と左右の正立光学系との間に配置され、双眼鏡の振れによる像振れを低減する光学防振ユニットと、該光学防振ユニットを動作させる電気回路基板と、該電気回路基板に電源を供給する電池が収容される電池室とを有する。
【００１０】
ここで、左右の対物光学系の双方の光軸を含む平面を境界面とし、左右の対物光学系のそれぞれの光軸を含み境界面に直交する２つの平面の間の領域を中央領域とし、該中央領域において境界面を挟む２つの領域のうち一方の領域を第１の領域とする。
【００１１】
このとき、第１の領域において、光学防振ユニットは、境界面に直交する方向に凹んだ第１の凹部を有し、電池室は、第１の凹部の内側を通って該光軸に平行な方向に延びるように配置されていることを特徴とする。
【発明の効果】
【００１２】
本発明では、中央領域かつ境界面を挟む一方の領域（第１の領域）に、光学防振ユニットに設けた凹部の内側を通るように電池室を配置している。このため、本発明によれば、光学防振ユニットを有しながらも、電池室を配置した中央領域の厚みが増加したり電池室が大きく突出したりすることのない小型の双眼鏡を実現することができる。
【発明を実施するための最良の形態】
【００１３】
以下、本発明の好ましい実施例について図面を参照しながら説明する。
【００１４】
図１、図２及び図３には、本発明の実施例である双眼鏡の構成を示している。図１は、双眼鏡全体の上側から見た要部断面図であり、対物光学系と接眼光学系は左右の対物光軸及び接眼光軸を含む平面で切った断面図である。また説明のため一部断面図ではない。
図２は図１中のＩＩ−ＩＩ線で切った双眼鏡の切断面を示している。また、図３は図１中のＩＩＩ−ＩＩＩ線で切った双眼鏡の切断面を、対物光学系側から見て示している。
【００１５】
これらの図において、３Ｌ，３Ｒは左右の対物光学系であり、それぞれ対物鏡筒３Ｌ′，３Ｒ′内にて保持されている。１Ｌ，１Ｒは左右の対物光学系３Ｌ，３Ｒの光軸（以下、対物光軸という）である。２は対物鏡筒３Ｌ′，３Ｒ′を収容及び保持する本体ケーシングである。
【００１６】
４Ｌ，４Ｒは左右の防振光学素子（本実施例では、レンズ）であり、対物光軸１Ｌ，１Ｒに対して直交する方向（ピッチ方向及びヨー方向）にシフトすることで、双眼鏡の振れに起因した像振れを低減する。本実施例では、左右の防振光学素子４Ｌ，４Ｒは、シフトベース部材５によってピッチ方向及びヨー方向に移動可能に支持された共通のシフトレンズ保持部材１４によって保持されて一体化されている。シフトベース部材５は、対物鏡筒３Ｌ′，３Ｒ′の後端（物体側とは反対側の端）に固定されている。
【００１７】
シフトレンズ保持部材１４が、後述するピッチアクチュエータ及びヨーアクチュエータによってシフトベース部材５に対してピッチ方向及びヨー方向に駆動されることで、左右の防振光学素子４Ｌ，４Ｒが同方向にシフトする。左右の防振光学素子４Ｌ，４Ｒ、シフトレンズ保持部材１４、シフトベース部材５、ピッチアクチュエータ及びヨーアクチュエータによって、シフト式の光学防振ユニットが構成される。
【００１８】
左右の防振光学素子４Ｌ，４Ｒは、実際には左右の対物光学系の一部を構成するが、本実施例では、左右の防振光学素子４Ｌ，４Ｒと左右の対物光学系３Ｌ，３Ｒとを分けて説明する。本実施例の光学防振ユニット及び後述する電気回路基板９は、左右の対物光学系３Ｌ，３Ｒと後述する左右の正立プリズム１０Ｌ，１０Ｒの間に配置されている。
【００１９】
なお、シフト式防振光学ユニットに代えて、左右の可変頂角プリズム（ＶＡＰ）の頂角を変化させることで像振れを低減するＶＡＰ式の光学防振ユニット（特開平１０−８３００７号参照）を用いてもよい。
【００２０】
左右の対物鏡筒３Ｌ′，３Ｒ′は、本体ケーシング２に設けられた左右の円筒支持部３０Ｌ，３０Ｒにより対物光軸１Ｌ，１Ｒが延びる方向（以下、対物光軸方向という）に移動可能に保持される。６はフォーカスナットであり、シフトベース部材５に固定されている。７はフォーカスネジであり、フォーカスナット６に螺合している。８は操作部材としてのフォーカスダイヤルであり、フォーカスネジ７の後端に取り付けられている。フォーカスダイヤル８とフォーカスネジ７は、本体ケーシング２に設けられた不図示の穴部によって、対物光軸方向における定位置にて回転可能に保持されている。
【００２１】
ここで、図１に示した左右の対物光学系３Ｌ，３Ｒの双方の光軸（対物光軸）１Ｌ，１Ｒを含む平面を境界面Ａとする。また、左右の対物光学系のそれぞれの光軸（対物光軸）１Ｌ，１Ｒを含み境界面Ａに直交する２つの平面Ｄ，Ｅの間の領域を中央領域Ｆとする。そして、図２及び図３において、中央領域Ｆにおける境界面Ａを挟む２つの領域Ｂ，Ｃのうち一方（下側）の領域Ｂを、以下の説明では、第１の領域としての中央下側領域という。また、中央領域Ｆにおける境界面Ａを挟む２つの領域Ｂ，Ｃのうち他方（上側）の領域Ｃを、第２の領域としての中央上側領域という。
【００２２】
フォーカスダイヤル８及びフォーカスネジ７は、中央上側領域に配置されている。より詳しくは、フォーカスダイヤル８及びフォーカスネジ７は、それらの回転中心軸が、左右の対物光軸１Ｌ，１Ｒの間の中央を通って境界面Ａに対して直交する平面上に位置するように配置されている。フォーカスダイヤル８をこの位置に配置することで、使用者の利き手の左右を問わずに良好な操作が可能となる。フォーカスダイヤル８が回転操作されると、左右の対物鏡筒３Ｌ′，３Ｒ′とシフトベース部材５とが対物光軸方向に移動し、焦点調節を行うことができる。
【００２３】
９は光学防振ユニットを動作させるために必要な、振れセンサ（例えば、ジャイロセンサ）や該振れセンサからの出力に基づいてピッチ及びヨーアクチュエータの駆動を制御するマイクロコンピュータ等を含む電気回路が実装された電気回路基板である。該電気回路基板９は、その実装面（基板面）が対物光軸１Ｌ，１Ｒに対して直交するように配置され、シフトベース部材５にビス４０Ｒ，４０Ｌによって固定されている。
【００２４】
図４には、前述した電気回路基板９を示している。７１，７２は左右の対物光学系３Ｌ，３Ｒ及び左右の防振光学素子４Ｌ，４Ｒからの光束を通過させるための光通過開口である。７３はマイクロコンピュータであり、７４はピッチ及びヨーアクチュエータを駆動するドライバである。７５はピッチ方向及びヨー方向の振れを検出する振れセンサである。
【００２５】
７７は後述する電池から電源供給を受けたり、防振機能をＯＮ／ＯＦＦする不図示のスイッチや防振光学素子４Ｌ，４Ｒの位置を検出する位置センサ等からの信号を受けたりするための配線コネクタである。７９，８０はビス４０Ｌ，４０Ｒが挿入される基板取り付け穴である。なお、図１及び図２では、図４に示した基板取り付け穴７９，８０の位置（つまりはビス４０Ｌ，４０Ｒの位置）を上下方向にずらして示している。８１はピッチ及びヨーアクチュエータへの配線コネクタである。
【００２６】
マイクロコンピュータ７３〜配線コネクタ８１により、光学防振ユニットの駆動制御回路が構成される。マイクロコンピュータ７３は、振れセンサ７５からの出力と位置センサからの信号に基づいて、像振れを低減するための左右の防振光学素子４Ｌ，４Ｒを移動量及び移動方向を算出する。そして、マイクロコンピュータ７３は、この算出結果に基づいてドライバ７４を通じてピッチ及びヨーアクチュエータを駆動する。
【００２７】
１０Ｌ，１０Ｒは左右の正立光学系を構成する正立プリズムであり、それぞれ左右のプリズムボックス１０Ｌ′，１０Ｒ′内に収容されて保持されている。１１Ｌ，１１Ｒは左右の接眼光学系であり、１１Ｌ′，１１Ｒ′は左右の接眼光学系１１Ｌ，１１Ｒの光軸を示している。左右の接眼光学系１１Ｌ，１１Ｒは、プリズムボックス１０Ｌ′，１０Ｒ′に一体形成された接眼鏡筒内に収容されて保持されている。
【００２８】
プリズムボックス１０Ｌ′，１０Ｒ′は、対物光軸１Ｌ，１Ｒを中心として回転可能に本体ケーシング２に取り付けられている。プリズムボックス１０Ｌ′，１０Ｒ′を対物光軸１Ｌ，１Ｒの回りで回転させることで、左右の接眼光学系１１Ｌ，１１Ｒの間隔を使用者の眼幅に合わせるための眼幅調整が可能となる。
【００２９】
なお、本実施例では、正立プリズム１０Ｌ，１０Ｒとして、ポロII型プリズムを用いている。ただし、ポロI型プリズムやダハプリズムを用いてもよい。また、正立光学系としては、プリズムを用いた光学系に代えて、複数のミラーを用いた光学系を用いてもよい。
【００３０】
左右の対物光学系３Ｌ，３Ｒにより形成された左右の物体像（倒立像）は、正立プリズム１０Ｌ，１０Ｒによって左右の正立像に反転される。該左右の正立像は、左右の接眼光学系１１Ｌ，１１Ｒを通じて使用者の両眼によって観察される。
【００３１】
前述したシフトベース部材５のうち中央下側領域の部分には、図３に示すように、境界面Ａに対して直交する方向（下側から上側）に向かって凹んだ形状を有する凹部（第１の凹部）５１が形成されている。
【００３２】
また、前述したシフトレンズ保持部材１４は、その左右の部分に左右の防振光学素子４Ｌ，４Ｒを保持している。図３に示すように、シフトレンズ保持部材１４のうち中央下側領域の部分にも、境界面Ａに対して直交する方向に凹んだ形状を有する凹部（第１の凹部）５２が形成されている。
【００３３】
さらに、図４にも示すように、電気回路基板９のうち中央下側領域の部分にも、境界面Ａに対して直交する方向に向かって凹んだ形状を有する凹部（第２の凹部）５０が形成されている。
【００３４】
このように、本実施例では、光学防振ユニット及び電気回路基板９を、左右に分かれて形成された対物光学系３Ｌ，３Ｒに対して、中央領域にて左右の部分がつながった形状を有する１つのユニット及び１つの基板として設けている。そして、光学防振ユニット及び電気回路基板９における中央下側領域の部分に、凹部５１，５２，５０を設けている。
【００３５】
１２，１３はＵ字形状を有するガイドバーであり、該Ｕ字形状の２つの腕部であるヨーガイド部１２ａ，１２ｂ，１３ａ，１３ｂが境界面Ａの上下にて左右方向に延びるように配置されている。これらのヨーガイド部１２ａ，１２ｂ，１３ａ，１３ｂは、シフトレンズ保持部材１４の左右の端部における上下位置に左右方向に延びるように形成されたガイド溝部１５，１６，１７，１８に挿入されている。また、ガイドバー１２，１３は、ヨーガイド部１２ａ，１２ｂ，１３ａ，１３ｂの間には、上下方向に延びるピッチガイド部１２ｃ，１３ｃが形成されている。ピッチガイド部１２ｃ，１３ｃは、シフトベース部材５に設けられたガイドバー保持部１９，２０によって上下方向に移動可能に保持されている。これにより、シフトレンズ保持部材１４は、ガイドバー１２，１３を介して、シフトベース部材５により、該シフトベース部材５に対して左右方向（ヨー方向）及び上下方向（ピッチ方向）にシフト可能に保持される。
【００３６】
２２，２３及び２４はガイドバー１２，１３の外周に配置されたコイルバネであり、シフトレンズ保持部材１４を、ピッチ方向における下方及びヨー方向における左方に付勢している。
【００３７】
２４，２５はそれぞれリニアステッピングアクチュエータとしてのピッチアクチュエータ及びヨーアクチュエータである。ヨーアクチュエータ２４は、ステッピングモータ２４ａとリードネジ２４ｂとにより構成され、ステッピングモータ２４ａはシフトベース部材５の下部に固定されている。リードネジ２４ｂは、ステッピングモータ２４ａの回転方向に応じて、図３中の右方向及び左方向に移動する。前述したコイルバネ２３の付勢力によって、シフトレンズ保持部材１４に設けられた突起部２６がリードネジ２４ｂの右面に押圧されている。
【００３８】
ステッピングモータ２４ａの回転によりリードネジ２４ｂが右方向に進むと、突起部２６を介してシフトレンズ保持部材１４がコイルバネ２３の付勢力に抗して右方向にシフトする。また、リードネジ２４ｂが左方向に進むと、コイルバネ２３の付勢力によって突起部２６がリードネジ２４ｂに押圧されたままシフトレンズ保持部材１４は左方向にシフトする。
【００３９】
ピッチアクチュエータ２５は、ステッピングモータ２５ａとリードネジ２５ｂとにより構成され、ステッピングモータ２５ａはシフトベース部材５における中央領域の部分に固定されている。リードネジ２５ｂは、ステッピングモータ２５ａの回転方向に応じて、図３中の下方向及び上方向に移動する。前述したコイルバネ２２，２４の付勢力によって、シフトレンズ保持部材１４に設けられた突起部２７がリードネジ２５ｂの上面に押圧されている。
【００４０】
ステッピングモータ２５ａの回転によりリードネジ２５ｂが下方向に進むと、突起部２７を介してシフトレンズ保持部材１４がコイルバネ２２，２４の付勢力に抗して下方向にシフトする。また、リードネジ２５ｂが上方向に進むと、コイルバネ２２，２４の付勢力によって突起部２７がリードネジ２５ｂに押圧されたままシフトレンズ保持部材１４は上方向にシフトする。
【００４１】
２８は本体ケーシング２の一部として形成された電池室である。該電池室２８は、中央下側領域において、光学防振ユニット及び電気回路基板９に設けられた凹部（第１及び第２の凹部）５１，５２及び５３の内側の領域６０を通って、対物光軸１Ｌ，１Ｒに平行な方向に延びるように配置されている。
【００４２】
電池室２８内には、電気回路基板９に電源を供給するための２本の電池２９ａ，２９ｂが収容されている。本実施例では、電池２９ａ，２９ｂとして、円筒型電池である単３電池が用いられている。電池２９ａ，２９ｂは、それらの長手方向が対物光軸１Ｌ，１Ｒに平行に延びるように電池室２８内に収容される。なお、電池室２８の下面には、不図示の電池室蓋が開閉可能に取り付けられている。
【００４３】
また、外装部材を兼ねる本体ケーシング２は、左右の対物鏡筒３Ｌ′，３Ｒ′（左右の対物光学系３Ｌ，３Ｒ）のうち領域Ｂ側（一方の領域側）の外周を覆う部分２ａと、電池室２８のうち領域Ｂ側の外周を覆う部分（電池室蓋）２ｂとを含む底面部を有する。そして、該底面部は、電池室２８を覆う部分２ｂが対物鏡筒３Ｌ′，３Ｒ′を覆う部分２ａに対して下方に突出しない形状を有する。特に本実施例では、図３に示すように、電池室２８を覆う部分２ｂが対物鏡筒３Ｌ′，３Ｒ′を覆う部分２ａに対してほぼ同一面として形成されている。
【００４４】
以上説明したように、本実施例では、中央下側領域に、光学防振ユニット及び電気回路基板９に設けた凹部５１，５２，５０の内側を通るように電池室２８を配置している。このため、本実施例によれば、光学防振ユニットを有しながらも、電池室２８を配置した中央領域Ｆの厚みが増加したり電池室２８が底面側にて大きく突出したりすることのない小型の双眼鏡を実現することができる。
【００４５】
中央領域Ｆの厚みが小さいことで、持ちやすい双眼鏡を実現することができ、かつフォーカスダイヤルを自然な操作が可能な位置に配置することができる。
【００４６】
また、電池室２８を凹部５１，５２，５０の内側を通るように配置することで、光学防振ユニットを電池室２８が設けられた本体ケーシング２に対して組み付けたり、これらを分解したりすることが容易になる。したがって、双眼鏡の組み立て性やメンテナンス性を向上させることができる。
【００４７】
以上説明した各実施例は代表的な例にすぎず、本発明の実施に際しては、各実施例に対して種々の変形や変更が可能である。
【００４８】
例えば、上記実施例では、光学防振ユニット及び電気回路基板９に設けた凹部の内側を通るように電池室を配置した場合について説明したが、電気回路基板に凹部を設けずに、光学防振ユニットに設けた凹部の内側を通るように電池室を配置してもよい。
【００４９】
また、上記実施例では、電池室２８に２本の単３電池２９ａ，２９ｂを、その長手方向が対物光軸１Ｌ，１Ｒと平行に延びるように収容する場合について説明した。しかし、使用する電池は、単４電池や単５電池でもよく、さらに円筒型電池ではない電池（ボタン電池や、四角柱型又は平板型の電池）を用いてもよい。また、使用する電池の個数（本数）も、２本に限られない。
【００５０】
さらに、上記実施例では、電池室蓋を双眼鏡の底面に設けた場合について説明したが、双眼鏡の前端面や後端面に設けてもよい。
【００５１】
また、上記実施例では、中央下側領域に電池室を配置し、中央上側領域にフォーカスダイヤルを配置した場合について説明したが、電池室とフォーカスダイヤルの上下を逆にしてもよい。
【図面の簡単な説明】
【００５２】
【図１】本発明の実施例１である双眼鏡の上面から見た要部断面図。
【図２】図１のＩＩ−ＩＩ線で切った双眼鏡の断面図
【図３】図１のＩＩＩ−ＩＩＩ線で切った双眼鏡の断面図
【図４】実施例１の双眼鏡内に設けられた電気回路基板の正面図。
【符号の説明】
【００５３】
１Ｌ，１Ｒ  対物光軸
２  本体ケーシング
３Ｌ，３Ｒ  対物光学系
３Ｌ′，３Ｒ′  対物鏡筒
４Ｌ，４Ｒ  防振光学素子
５  シフトベース部材
８  フォーカスダイヤル
９  電気回路基板
１０Ｌ，１０Ｒ  正立プリズム  
１１Ｌ，１１Ｒ  接眼光学系
１２，１３  ガイドバー
１４  シフトレンズ保持部材
２４，２５  アクチュエータ
２８  電池室
２９ａ，２９ｂ  電池
７３  マイクロコンピュータ
７４  ドライバ
７５  振れセンサ